(57)【要約】【課題】  マクロＢＳとピコＵＥとの間の干渉を低減できる。【解決手段】  本明細書に記載する実施形態は、マクロ基地局（ＢＳ）からピコユーザ機器（ＵＥ）に対する干渉を低減する、ロング・ターム・エボリューション・アドバンスト（ＬＴＥ−Ａ）異種ネットワークに対する電力制御スキームを対象とする。本明細書に記載する実施形態は、マクロＢＳとピコＵＥとの間で達成可能なスループットを均衡させる、ＬＴＥ−Ａ異種ネットワークを開発するのに使用することができ、それによってシステム全体の性能を改善することができる。【選択図】図２
2014007745.tif 000002
【特許請求の範囲】
【請求項１】
少なくとも１つのマクロ基地局と関連付けられた複数の物理リソースブロック（ＰＲＢ）の少なくとも１つの電力割付けパターンに基づいて、ユーザ機器（ＵＥ）のスケジューリングに対する干渉分布情報を生成し、
前記干渉分布情報に基づいて、ピコ基地局と関連付けられた少なくとも１つのＵＥのスケジューリングを行うように構成された、中央処理装置（ＣＰＵ）を備える、ピコ基地局。
【請求項２】
前記干渉分布情報が、前記複数のＰＲＢそれぞれの高干渉状態および低干渉状態のうち１つを示す複数の状態を含む、請求項１に記載のピコ基地局。
【請求項３】
前記ＣＰＵが、前記低干渉状態を有するサブフレームにおけるスケジューリングについて前記ピコ基地局と関連付けられた前記少なくとも１つのＵＥからセル端のＵＥの数を決定するようにさらに構成され、前記セル端のＵＥの数が、前記ピコ基地局からの基準信号受信電力（ＲＳＲＰ）に基づいて決定される、請求項２に記載のピコ基地局。
【請求項４】
前記複数のＰＲＢの個々に対する異なる送信電力を示す２つ以上の電力割付けパターンを受信すると、複数の状態のうち一部に対応する任意の受信した電力割付けパターンによる前記複数のＰＲＢのうち１つの送信電力が閾値を上回る場合は、前記複数のＰＲＢのうち一部に対応する前記複数の状態のうち前記一部を前記高干渉状態に設定するように、前記ＣＰＵがさらに構成される、請求項２に記載のピコ基地局。
【請求項５】
前記複数のＰＲＢの個々に対する異なる送信電力を示す２つ以上の電力割付けパターンを受信すると、複数の状態のうち一部に対応するすべての受信した電力割付けパターンによる前記複数のＰＲＢのうち一部の送信電力が閾値送信電力を下回る場合は、前記複数の状態のうち前記一部を前記低干渉状態に設定するように、前記ＣＰＵがさらに構成される、請求項２に記載のピコ基地局。
【請求項６】
１つの電力割付けパターンのみを受信した場合は、前記複数の状態のうち、前記複数のＰＲＢのうち前記少なくとも１つの電力割付けパターンの閾値を上回る非ゼロの送信電力を有するものに対応するものを、前記高干渉状態に設定するように、前記ＣＰＵがさらに構成される、請求項２に記載のピコ基地局。
【請求項７】
少なくとも１つの被害を受けるＵＥのＲＳＲＰに基づいて、前記少なくとも１つのマクロ基地局のうち、前記ピコ基地局と関連付けられた前記少なくとも１つの被害を受けるＵＥのトラフィック負荷レポートを受信するものを選択するように、前記ＣＰＵがさらに構成される、請求項１に記載のピコ基地局。
【請求項８】
前記ＣＰＵが、前記少なくとも１つの被害を受けるＵＥの数が閾値を超える場合に、前記トラフィック負荷レポートを前記少なくとも１つのマクロ基地局のうち選択されたものに送信するようにさらに構成される、請求項１に記載のピコ基地局。
【請求項９】
少なくとも１つの被害を受けるユーザ機器（ＵＥ）のトラフィック負荷に基づいて、マクロ基地局によって管理される複数の物理リソースブロック（ＰＲＢ）に対する電力割付けパターンを決定するように構成された中央処理装置（ＣＰＵ）と、
前記少なくとも１つの被害を受けるＵＥと関連付けられた少なくとも１つのピコ基地局（ＢＳ）に前記電力割付けパターンを送信するように構成されたインターフェースとを備える、マクロ基地局。
【請求項１０】
前記インターフェースが、前記少なくとも１つの被害を受けるＵＥのトラフィック負荷を含むレポートを受信するようにさらに構成される、請求項９に記載のマクロ基地局。
【請求項１１】
前記ＣＰＵが、前記複数のＰＲＢそれぞれの送信電力を、第１の送信電力、前記第１の送信電力よりも低い第２の送信電力、および送信電力なしのうち１つに調節するようにさらに構成される、請求項９に記載のマクロ基地局。
【請求項１２】
前記ＣＰＵが、前記第１の送信電力の割合としての前記第２の送信電力の構成を受信するようにさらに構成される、請求項１１に記載のマクロ基地局。
【請求項１３】
前記電力割付けパターンが、
前記複数のＰＲＢのうち、対応するサブフレームに対して前記第１の送信電力を有して構成されたものを表す情報を含む第１のマップと、
前記複数のＰＲＢのうち、対応する周波数帯に対して前記第２の送信電力を有して構成されたものを表す情報を含む第２のマップとを含む、請求項９に記載のマクロ基地局。
【請求項１４】
少なくとも１つのマクロ基地局と関連付けられた複数の物理リソースブロック（ＰＲＢ）の少なくとも１つの電力割付けパターンに基づいて、ユーザ機器（ＵＥ）のスケジューリングに対する干渉分布情報を生成し、
前記干渉分布情報に基づいて、少なくとも１つのピコ基地局と関連付けられた少なくとも１つのＵＥのスケジューリングを行うように構成された、少なくとも１つのピコ基地局と、
少なくとも１つの被害を受けるＵＥのトラフィック負荷に基づいて、前記少なくとも１つのマクロ基地局によって管理される前記複数のＰＲＢに対する前記少なくとも１つの電力割付けパターンを決定し、
前記少なくとも１つの被害を受けるＵＥと関連付けられた前記少なくとも１つのピコ基地局に前記電力割付けパターンを送信するように構成された、前記少なくとも１つのマクロ基地局とを備える、システム。
【請求項１５】
前記干渉分布情報が、前記複数のＰＲＢそれぞれの高干渉状態および低干渉状態のうち１つを示す複数の状態を含む、請求項１４に記載のシステム。
【請求項１６】
前記少なくとも１つのピコ基地局が、前記低干渉状態を有するサブフレームにおけるスケジューリングについて前記少なくとも１つのピコ基地局と関連付けられた前記少なくとも１つのＵＥからセル端のＵＥの数を決定するようにさらに構成され、前記セル端のＵＥの数が、前記少なくとも１つのピコ基地局からの基準信号受信電力（ＲＳＲＰ）に基づいて決定される、請求項１５に記載のシステム。
【請求項１７】
前記複数のＰＲＢの個々に対する異なる送信電力を示す２つ以上の電力割付けパターンを受信し、前記複数の状態のうち一部に対応する任意の受信した電力割付けパターンによる前記複数のＰＲＢのうち１つの送信電力が閾値を上回る場合は、前記複数のＰＲＢのうち一部に対応する前記複数の状態のうち前記一部を高干渉状態に設定するように、前記少なくとも１つのピコ基地局がさらに構成される、請求項１５に記載のシステム。
【請求項１８】
前記少なくとも１つのマクロ基地局が、前記複数のＰＲＢそれぞれの送信電力を、第１の送信電力、前記第１の送信電力よりも低い第２の送信電力、および送信電力なしのうち１つに調節するようにさらに構成される、請求項１４に記載のシステム。
【請求項１９】
前記少なくとも１つのマクロ基地局が、前記第１の送信電力の割合としての前記第２の送信電力の構成を受信するようにさらに構成される、請求項１４に記載のシステム。
【請求項２０】
前記少なくとも１つの電力割付けパターンが、
前記複数のＰＲＢのうち、対応するサブフレームに対して前記第１の送信電力を有して構成されたものを表す情報を含む第１のマップと、
前記複数のＰＲＢのうち、対応する周波数帯に対して前記第２の送信電力を有して構成されたものを表す情報を含む第２のマップとを含む、請求項１４に記載のシステム。
【発明の詳細な説明】
【技術分野】
【０００１】
本出願の実施形態は、全体として、通信ネットワークに関し、より具体的には、異種通信ネットワークにおける電力制御スキームに関する。
【背景技術】
【０００２】
ロング・ターム・エボリューション・アドバンスト（ＬＴＥ−Ａ）ネットワークは、基地局（ＢＳ）の多様な集合を異種混合で配備することによってセルサイズを低減することにより、スペクトル効率を改善するように設計されている。異種セルラーネットワークでは、マクロＢＳは、高い送信電力（例えば、４６ｄＢｍ）で規則的かつ計画的な方式で配備され、オーバーレイさせたピコＢＳは、比較的低い送信電力（例えば、３０ｄＢｍ）で狭いカバレッジ（例えば、マクロセルの端部）に配備される。オーバーレイさせたＢＳの配備は、カバレッジを改善するとともに、スペクトルの空間再利用を増大させることによって容量利得をもたらすことができる。
【発明の概要】
【発明が解決しようとする課題】
【０００３】
ＬＴＥ−Ａのリリース１０（Ｒｅｌ−１０）では、ピコユーザ機器（ＵＥ）に対する干渉を低減するため、マクロＢＳは、オールモースト・ブランク・サブフレーム（ＡＢＳ）として知られている特定のサブフレームをミュートすることができる。ＡＢＳでは、ほとんどのリソースエレメント（ＲＥ）がブランクであり、少量のＲＥのみが何らかのシステム情報（例えば、セル固有基準信号および同期信号）を保有する。ピコＵＥは、それによって受ける干渉が少なくなり、マクロＢＳがＡＢＳを送信する際のより高いデータ転送率を達成することができる。
【０００４】
ＬＴＥ−Ａシステムでは、無線リソースはＲＥおよび物理リソースブロック（ＰＲＢ）に分割される。図１は、ロング・ターム・エボリューション／ロング・ターム・エボリューション・アドバンスト（ＬＴＥ／ＬＴＥ−Ａ）の構造例を示す。
【０００５】
図１では、ＬＴＥ／ＬＴＥ−Ａサブフレームの構造は、時間ドメインおよび周波数ドメイン内で示される。各サブフレームは２つの時間スロットに分割され、各時間スロットは、（通常のサイクリック・プレフィックス長さに対して）７つの直交周波数分割多重（ＯＦＤＭ）シンボルを含んでいる。ＯＦＤＭシンボル長さおよびサブキャリア帯域幅を有する各グリッドはＲＥと呼ばれる。ＰＲＢは、時間ドメイン内の時間スロットと同じ長さを有し、周波数ドメイン内の１２個のサブキャリアに及ぶ。
【０００６】
ＬＴＥ−Ａネットワークは異種ネットワークであり、単位面積当たりのスペクトル効率を改善できるマクロＢＳおよびピコＢＳが共存している。しかし、かかるマクロ・ピコ配備において、ピコＵＥの中でも特にセル端にあるものは、隣接するマクロＢＳによる強い干渉を受ける傾向がある。
【課題を解決するための手段】
【０００７】
例示の実施形態の態様は、少なくとも１つのマクロＢＳと関連付けられた複数のＰＲＢの少なくとも１つの電力割付けパターンに基づいて、ＵＥのスケジューリングに対する干渉分布情報を生成し、干渉分布情報に基づいて、ピコＢＳと関連付けられた少なくとも１つのＵＥのスケジューリングを行うように構成された中央処理装置（ＣＰＵ）を含む、ピコＵＳを含んでもよい。
【０００８】
例示の実施形態のさらなる態様は、少なくとも１つの被害を受けるピコＵＥのトラフィック負荷に基づいて、マクロＢＳによって管理される複数のＰＲＢに対する電力割付けパターンを決定するように構成されたＣＰＵと、少なくとも１つの被害を受けるＵＥと関連付けられた少なくとも１つのピコＢＳに電力割付けパターンを送信するように構成されたインターフェースとを含む、マクロＢＳを含んでもよい。
【０００９】
例示の実施形態のさらなる態様は、少なくとも１つのマクロＢＳと関連付けられた複数のＰＲＢの少なくとも１つの電力割付けパターンに基づいて、ＵＥのスケジューリングに対する干渉分布情報を生成し、干渉分布情報に基づいて、少なくとも１つのピコＢＳと関連付けられた少なくとも１つのＵＥのスケジューリングを行うように構成された、少なくとも１つのピコＢＳと、少なくとも１つの被害を受けるピコＵＥのトラフィック負荷に基づいて、少なくとも１つのマクロＢＳによって管理される複数のＰＲＢに対する少なくとも１つの電力割付けパターンを決定し、少なくとも１つの被害を受けるＵＥと関連付けられた少なくとも１つのピコＢＳに電力割付けパターンを送信するように構成された、少なくとも１つのマクロＢＳとを含む、システムを含んでもよい。
【発明の効果】
【００１０】
本発明によれば、マクロＢＳとピコＵＥとの間の干渉を低減できる。
【図面の簡単な説明】
【００１１】
【図１】ＬＴＥ／ＬＴＥ−Ａサブフレームの構造例を示す図である。
【図２】例示の一実施形態による異種ネットワークを示す図である。
【図３】例示の一実施形態によるマクロＢＳのハードウェア構成を示すブロック図である。
【図４】例示の一実施形態によるピコＢＳのハードウェア構成を示すブロック図である。
【図５】ＬＴＥ−ＡシステムにおけるＵＥのハードウェア構成を示すブロック図である。
【図６】例示の一実施形態によるシステムのフローチャートである。
【図７】例示の一実施形態による、ピコＢＳがそのトラフィック負荷情報を隣接するマクロＢＳに報告する際のフローチャートである。
【図８】例示の一実施形態によるマクロＢＳのフローチャートである。
【図９】図９（ａ）〜９（ｄ）は、例示的な一実施形態による電力割付けパターンの例を示す図である。
【図１０】例示的な一実施形態による、ピコＢＳが電力割付けパターンを隣接するマクロＢＳから受信した後の動作のフローチャートである。
【図１１】ＲＳＲＰ測定テーブル例である。
【図１２】電力割付けテーブル例である。
【図１３】事例１における干渉分布テーブル例である。
【図１４】事例２における干渉分布テーブル例である。
【発明を実施するための形態】
【００１２】
以下の例示の実施形態の詳細な説明では添付図面を参照するが、それら添付図面では、同一の機能的要素は同様の番号によって指定される。上述の添付図面は、例示の実施形態および実現例を限定目的ではなく例証目的で示すものである。これらの実現例は、当業者が本発明を実施できるように十分に詳細に記載されており、他の実現例が利用されてもよく、また例示の実施形態の範囲および趣旨から逸脱することなく、様々な要素の構造上の変化および／または置換が行われてもよいことを理解されたい。従って、以下の詳細な説明は限定的な意味で解釈すべきでない。
【００１３】
一例では、ＬＴＥ−Ａ異種ネットワークにおけるピコＵＥに対するマクロＢＳの干渉を低減するための電力制御スキームが提案される。提案される方法では、ピコＢＳは、マクロＢＳによる被害を受けるＵＥのトラフィック負荷を報告するマクロＢＳの集合を選択する。１つまたは複数のピコＢＳからのトラフィック負荷情報に基づいて、マクロＢＳは、ＰＲＢ全体にわたるその電力割付けを決定し、隣接するピコＢＳと電力割付けパターンを共有する。ピコＢＳは、１つまたは複数のマクロＢＳから受信した電力割付けパターンに基づいて、関連するＵＥのデータ送信のスケジューリングを行う。
【００１４】
ＬＴＥ−Ａ異種ネットワークのダウンリンクの場合、ピコＵＥ（例えば、ピコセルと関連付けられたＵＥ）は、マクロＢＳの送信電力が高いことにより、隣接するマクロＢＳから強い干渉を受ける。ピコＵＥ、特にセル端にあるもののスループットを改善するため、ピコＵＥに対するマクロＢＳの干渉を制御する電力制御スキームが必要とされている。例示の実施形態は、ピコＵＥのセル平均およびセル端のスループットを改善することができる、マクロＢＳとピコＵＥとの間の干渉を低減する電力制御スキームを対象とする。
【００１５】
例示の実施形態では、ピコＢＳは、被害を受けるＵＥのトラフィック負荷をピコＢＳが報告するマクロＢＳの集合を選択する。１つまたは複数のピコＢＳからのトラフィック負荷情報に基づいて、マクロＢＳは、物理リソースブロック（ＰＲＢ）全体にわたるその電力割付けを決定し、隣接するピコＢＳと電力割付けパターンを共有する。ピコＢＳは、１つまたは複数のマクロＢＳから受信した電力割付けパターン（１つもしくは複数）に基づいて、関連するＵＥのデータ送信のスケジューリングを行う。
【００１６】
図２は、例示の一実施形態による異種ネットワークを示す。図２に示される異種セルラーネットワーク例には、ピコＢＳ２００−１、２００−２、マクロＢＳ２０１−１、２０１−２、およびＵＥ  ２０２−１、２０２−２、２０２−３、２０２−４、２０２−５の混合が存在する。マクロＢＳおよびピコＢＳは共同してエリア内の複数のＵＥに役立つ。ピコＢＳと関連付けられたセル端にあるＵＥは、マクロＢＳから強い干渉を受けることがある。例えば、ＵＥ１  ２０２−１はピコＢＳ１  ２００−１と関連付けられるが、マクロＢＳ１  ２０１−１およびマクロＢＳ２  ２０１−２から強い干渉を受けることがあり、ＵＥ３  ２０２−３はピコＢＳ２  ２００−２と関連付けられるが、マクロＢＳ１  ２０１−１から強い干渉を受けることがある。例示の実施形態は、マクロＢＳからピコＵＥへの干渉を低減できるようにして、マクロＢＳおよびピコＢＳに対して実現することができる。
【００１７】
図３は、例示の一実施形態によるマクロＢＳのハードウェア構成のブロック図を示す。ブロック図に示されるようなハードウェア構成は、任意のマクロＢＳ（例えば、図２に示されるようなマクロＢＳ１  ２０１−１およびマクロＢＳ２  ２０１−２など）で実現されてもよい。マクロＢＳは、Ｘ２インターフェース３０１と、中央処理装置（ＣＰＵ）３０２と、無線周波数（ＲＦ）モジュール３０３と、ベースバンド・プロセッサ３０４と、メモリ３０５とを含む構成３００を使用してもよい。ＣＰＵ  ３０２は、Ｘ２インターフェース３０１からの入力に基づいてＰＲＢ全体にわたる電力割付けを決定し、メモリ３０５内の電力割付けテーブルを更新する。さらに、ＣＰＵ  ３０２はまた、ＲＦモジュールの出力信号が選択された電力割付けパターンに従うように、マクロＵＥのデータ送信のスケジューリングを行い、ベースバンド・プロセッサ３０４およびＲＦモジュール３０３を制御するように構成されてもよい。
【００１８】
ベースバンド・プロセッサ３０４は、マクロＢＳに対するベースバンド動作を扱うように構成される。ベースバンド動作は、ターボ符号化、レートマッチング、変調、層マッピング、ＭＩＭＯプレコーディング、ＩＦＦＴ、およびＬＴＥ／ＬＴＥ−Ａ規格で利用される他の動作を含んでもよい。
【００１９】
ＲＦモジュール３０３は、マクロＢＳに対するＲＦ動作を扱うように構成される。ＲＦモジュールは、ベースバンド・プロセッサから供給されたベースバンド信号をＲＦ信号に変換し、次に１つまたは複数のアンテナを通してＲＦ信号を送信する。
【００２０】
メモリ３０５は、電力割付けテーブルを格納するように構成される。電力割付けテーブルの内容に関するさらなる詳細については、図１２の説明で後述する。
【００２１】
Ｘ２インターフェース３０１は、隣接するピコＢＳとの情報交換を扱うように構成される。具体的には、マクロＢＳは、Ｘ２インターフェースを介して隣接するピコＢＳからトラフィック負荷情報を受信する。受信情報に基づいて、マクロＢＳはその電力割付けを決定し、Ｘ２インターフェースを介して電力割付けパターンを隣接するピコＢＳに通知する。上述の手順の詳細については、図８の説明において説明する。
【００２２】
図４は、例示の一実施形態によるピコＢＳのハードウェア構成のブロック図を示す。ブロック図に示されるようなハードウェア構成は、任意のピコＢＳ（例えば、図２に示されるようなピコＢＳ１  ２００−１およびピコＢＳ２  ２００−２など）で実現されてもよい。ピコＢＳは、Ｘ２インターフェース４０１と、中央処理装置（ＣＰＵ）４０２と、無線周波数（ＲＦ）モジュール４０３と、ベースバンド・プロセッサ４０４と、メモリ４０５とを含む構成４００を使用してもよい。ＣＰＵ  ４０２は、１つまたは複数のマクロＢＳから受信した電力割付けパターン（１つもしくは複数）に基づいて、各ＰＲＢに対する干渉レベルを推定し、メモリ４０５内の干渉分布テーブルを更新するように構成される。さらに、ＣＰＵ  ４０２は、メモリ４０５内の干渉分布テーブルに基づいてピコＵＥのスケジューリングを行うように構成される。ＣＰＵ  ４０２はまた、スケジューリングされたＵＥに対してデータを送信するようにベースバンド・プロセッサ４０４およびＲＦモジュール４０３を制御する。
【００２３】
ベースバンド・プロセッサ４０４は、ピコＢＳに対するベースバンド動作を扱うように構成される。ピコＢＳに対するベースバンド動作は、マクロＢＳに対するものと類似している。
【００２４】
ＲＦモジュール４０３は、ピコＢＳに対するＲＦ動作を扱うように構成される。ピコＢＳに対するＲＦ動作は、マクロＢＳに対するものと類似している。
【００２５】
メモリ４０５は、干渉分布テーブルを格納するように構成され、その詳細については図１３の説明で後述する。
【００２６】
Ｘ２インターフェース４０１は、隣接するピコＢＳとの情報交換を扱うように構成される。具体的には、ピコＢＳは、そのトラフィック負荷情報をＸ２インターフェースを介して隣接するマクロＢＳに送信するので、それらマクロＢＳは、図７の説明でさらに詳細に記載するように、それらの電力割付けパターンを決定することができる。隣接するマクロＢＳから電力割付けパターンを受信した後、ピコＢＳは、図１０の説明でさらに詳細に記載するように、干渉分布を推定し、そのスケジューラを適宜調節する。
【００２７】
図５は、ＬＴＥ−ＡシステムにおけるＵＥのハードウェア構成のブロック図を示す。ブロック図に示されるようなハードウェア構成は、ＬＴＥ−Ａシステムの任意のＵＥ（例えば、図２に示されるようなＵＥ  ２０２−１、２０２−２、２０２−３、２０２−４、２０２−５）で実現されてもよい。ＵＥは、測定モジュール５０１と、無線周波数（ＲＦ）モジュール５０２と、ベースバンド・プロセッサ５０３と、メモリ５０４とを含む構成５００を使用してもよい。測定モジュール５０１は、隣接するマクロＢＳおよびピコＢＳからの基準信号受信電力（ＲＳＲＰ）を測定し、測定結果を関連するＢＳに送信するように構成される。ベースバンド・プロセッサ５０３は、ＵＥに対するベースバンド動作を扱うように構成される。ＲＦモジュール５０２は、ＵＥに対するＲＦ動作を扱うように構成される。メモリ５０４は、受信データ・パケットを格納する。
【００２８】
図６は、例示の一実施形態によるシステムのフローチャートを示す。６００で、各ＵＥは、隣接するＢＳからのＲＳＲＰを測定し、それに関連するＢＳに測定レポートを送信する。６０１で、関連するＵＥから測定レポートを受信した後、各ピコＢＳは、近隣にある各マクロＢＳについて被害を受けるＵＥを特定し、６０２で被害を受けるＵＥのトラフィック負荷をピコＢＳが報告するマクロＢＳの集合を決定する。６０３で、ピコＢＳは、Ｘ２インターフェースを通して、報告対象の集合内の各マクロＢＳにトラフィック負荷情報を送信する。被害を受けるＵＥに対するトラフィック負荷情報は、被害を受けるＵＥに割り当てられるＰＲＢの数、パケット到着率、またはスループットを含んでもよい。６０４で、１つまたは複数のピコＢＳからのトラフィック負荷レポートに基づいて、マクロＢＳは電力割付けパターンを決定する。６０４で、マクロＢＳは、ＵＥのスケジューリングのため、（Ｘ２インターフェースを介して）１つまたは複数のピコＢＳとパターンを共有する。一方で、マクロＢＳは、その電力割付けパターンに基づいて、自身のＵＥのデータ送信のスケジューリングを行ってもよい。６０５で、ピコＢＳは、受信した電力割付けパターンに基づいて、関連するＵＥに対するデータ送信スケジュールを生成する。６０６で、ピコＢＳは、データ送信スケジュールに基づいて、関連するＵＥにデータ・パケットを送信するように命令する。
【００２９】
図７は、例示の一実施形態による、ピコＢＳがそのトラフィック負荷情報を隣接するマクロＢＳに報告する際のフローチャートを示す。ピコＢＳは、関連するＵＥから測定レポートを受信する。図４のハードウェア構成例４００に関して言及する。７００で、ＣＰＵは関連するＵＥから測定レポートを受信する。受信した測定レポートに基づいて、ＣＰＵは、７０１と７０２で示されるようにメモリ４０５内のＲＳＲＰ測定テーブルを更新する。
【００３０】
測定テーブルおよび被害を受けるＵＥに対する閾値に基づいて、ＣＰＵ  ４０２は、特定のマクロＢＳについて被害を受けるＵＥを特定することができる。マクロＢＳについて被害を受けるＵＥの数が閾値を上回る場合、ＣＰＵ  ４０２は、７０３で、トラフィック負荷を報告する報告対象の集合にマクロＢＳを含めてもよい。７０４で、報告対象の集合内のマクロＢＳのＩＤがＸ２インターフェース４０１に送信されて、それらのマクロＢＳとの接続が確立される。Ｘ２インターフェース４０１は、７０５で報告対象の集合内のマクロＢＳへのリンクを確立し、７０６でＸ２接続を要求する。マクロＢＳへの接続が確立されると、ピコＢＳは、このマクロＢＳの被害を受けるＵＥに関するトラフィック負荷全体を提供するトラフィック負荷レポートを送信する。例えば、図２のピコＢＳ１  ２００−１は、ＵＥ１  ２０２−１およびＵＥ２  ２０２−２の合計のトラフィック負荷をマクロＢＳ１  ２０１−１に報告するようになる。
【００３１】
図１１は、ピコＢＳ（この例では、図２に示されるようなピコＢＳ１  ２００−１）のＲＳＲＰ測定テーブル例であるが、ＲＳＲＰ値の例は例証目的で与えられるものであり、被害を受けるＵＥの閾値例は１０に設定されている。
【００３２】
図８は、例示の一実施形態によるマクロＢＳのフローチャートを示す。８００で、マクロＢＳは、Ｘ２インターフェース３０１を介して１つまたは複数のピコＢＳからトラフィック負荷情報を受信する。トラフィック負荷レポートに基づいて、ＣＰＵ  ３０２は、８０１および８０２で示されるように、電力割付けパターンを決定し、メモリ３０５内の電力割付けテーブルを適宜更新する。さらに、ＣＰＵは電力割付けパターンをＲＦモジュールに送信し、それにより、ＲＦモジュールの出力信号はパターンに従う。電力割付けパターンはまた、８０３で示されるように、１つまたは複数のピコＢＳに送信されてもよい。電力割付けパターンに基づいて、ＣＰＵ  ３０２は、８０４で示されるように、マクロＢＳと関連付けられるＵＥのスケジューリングを行う。次に、スケジューリングされたＵＥそれぞれに割り当てられたＰＲＢインデックスが、８０５および８０６でそれぞれ示されるように、ベースバンド処理のためにベースバンド・プロセッサ３０４に送信される。その後、８０７および８０８でそれぞれ示されるように、ベースバンド信号はＲＦ処理のためにＲＦモジュール３０３に送信される。
【００３３】
上述の例では、同じＰＲＢ内のＲＥの送信電力は同じになるように設定される。しかし、異なるＰＲＢの送信電力は異なっていてもよい。図９（ａ）〜９（ｄ）は、例示的な一実施形態による、時間ドメインおよび周波数ドメイン内の電力割付けパターンの例を示す。図９（ａ）〜９（ｄ）の例は、１０個のサブフレームおよび１．４ＭＨｚの帯域幅を有するＬＴＥ−Ａフレームのものであり、所与のＰＲＢおよびサブフレームに対する送信電力を示している。例の列は、サブフレーム・インデックス、即ち時間ドメイン内の対応するサブフレームを示す。例の行は、ＰＲＢインデックス、即ち対応するＰＲＢの送信電力を示す。電力割付けパターンは様々な構造を有する。
【００３４】
各ＰＲＢに対する送信電力は、デフォルト設定として使用される第１の送信電力、第１の送信電力よりも低い（例えば、第１の送信電力の特定の割合）第２の送信電力、およびゼロ送信電力または送信電力なしという、３つの値で構成することができる。
【００３５】
例えば、あるＰＲＢが第１の送信電力で構成される場合、同じサブフレーム内のＰＲＢは第１の送信電力で構成されてもよい。
【００３６】
あるＰＲＢが第２の送信電力で構成される場合、同じ行内のＰＲＢ（第１の送信電力構成を有するＰＲＢを除く）は第２の送信電力で構成されてもよい。
【００３７】
あるＰＲＢが送信電力なしで構成される場合、同じ行内のＰＲＢ（第１の送信電力で構成されたＰＲＢを除く）は送信電力なしで構成されてもよい。
【００３８】
複数の電力割付けパターンが事前定義され、メモリ内のテーブルに格納されてもよい。図１２は、電力割付けパターンを記述するのに２つのビットマップが使用される、図９（ａ）〜９（ｄ）に示されるような４つの電力割付けパターンに基づいたかかるテーブルの一例を示す。下記のテーブルにおいて、電力割付けパターン・インデックス１、２、３、および４はそれぞれ、図９（ａ）、９（ｂ）、９（ｃ）、および９（ｄ）に対応する。
【００３９】
具体的には、第１のビットマップは、第１の送信電力で構成されたＰＲＢの位置（サブフレーム）を示す１０ビットを有し、第２のビットマップは、第２の送信電力で構成されたＰＲＢの位置（周波数帯）を示す。合計の帯域幅に応じて、第２のビットマップの長さは変動することがある。例えば、図９（ｂ）に対する２つのビットマップは以下のように与えられる。
【００４０】
第１のビットマップ：０１１００１１１００。ここで、「１」は、対応するサブフレーム（列）内のＰＲＢが第１の送信電力で構成されていることを表す。
【００４１】
第２のビットマップ：０１０１０１。ここで、「１」は、対応する周波数帯（行）内のＰＲＢが第２の送信電力で構成されていることを表す。
【００４２】
固有のミューティング比は各電力割付けパターンと関連付けられるが、これはＰｚ＋（１−α）Ｐｒとして定義され、式中、ＰｒおよびＰｚはそれぞれ、第２の送信電力を有するＰＲＢおよび送信電力なしのＰＲＢの割合であり、αは、第２の送信電力の値と第１の送信電力の値との間の比である。
【００４３】
次に、１つまたは複数のピコＢＳから受信したトラフィック負荷情報に基づいて、電力割付けテーブルから電力割付けパターンが選択される。マクロＢＳがＭ個のピコＢＳからトラフィック負荷レポートを受信し、ピコＢＳｍのトラフィック負荷がＴｍであると仮定して、マクロＢＳのＣＰＵは次の基準値（（１）式）を計算する。
【００４４】
【数１】
2014007745.tif 000003
【００４５】
（１）式中、Ｔ０はマクロＢＳのトラフィック負荷、βｍはピコＢＳｍのシステムパラメータであり、（（２）式）のとおりである。
【００４６】
【数２】
2014007745.tif 000004
【００４７】
次に、マクロＢＳのＣＰＵは、ミューティング比が上述の基準値に最も近い電力割付けパターンを選択し、メモリ内における選択されたパターンのフィールド「アクティブ」を「はい」に設定することによって（残りのパターンのフィールド「アクティブ」は自動的に「いいえ」に設定される）、電力割付けテーブルを更新する。
【００４８】
マクロＢＳのＣＰＵは、選択された電力割付けパターンに基づいて、次のように、関連するＵＥのデータ送信のスケジューリングを行う。ＵＥは、それらのＲＳＲＰに基づいて、ＲＳＲＰが事前定義した閾値を上回るセル中心のＵＥと、ＲＳＲＰが事前定義した閾値を下回るセル端のＵＥとの２つの群に分割される。マクロＢＳのＣＰＵは、第２の送信電力を有するＰＲＢ全体に対してのみセル中心のＵＥのスケジューリングを行う。第１の送信電力を有するＰＲＢについては、マクロＢＳのＣＰＵは、２つの群からのＵＥのスケジューリングを行う。スケジューリングされたＵＥそれぞれに割り当てられたＰＲＢインデックスおよびアクティブな電力割付けパターンは、ベースバンド・プロセッサおよびＲＦモジュールに渡され、それにより、ＲＦモジュールからの出力信号は選択された電力割付けパターンに従う。選択された電力割付けパターンに対する２つのビットマップおよび第２の送信電力の値は、マクロＢＳとのＸ２接続を有する１つまたは複数のピコＢＳに送信される。
【００４９】
図１０は、例示の一実施形態による、ピコＢＳが隣接するマクロＢＳから電力割付けパターンを受信した後の動作のフローチャートを示す。図１０に示されるようなフローチャートは、１つまたは複数のマクロＢＳからの電力割付けパターンの受信および処理に関するものである。Ｘ２インターフェース４０１は、１０００で示されるように、１つまたは複数のマクロＢＳから電力割付けパターンを受信し、それらをＣＰＵ  ４０２に転送する。ＣＰＵ  ４０２は、１００１および１００２で示されるように、受信した電力割付けパターンに基づいてメモリ４０５内の干渉分布テーブルを更新する。干渉分布テーブルの一例が図１３で与えられるが、ここで、「高」および「低」は、所与のＰＲＢおよび所与のサブフレームを含む状態に対する干渉レベルを表す。特定の状態に対する干渉レベルの更新の詳細は、以下の通りである。
【００５０】
事例１：１つの電力割付けパターンのみを受信したとき、受信した電力割付けパターンが、その状態が第１の送信電力または特定の閾値を上回る第２の送信電力で構成されていることを示す場合は、状態の干渉レベルは「高」に設定される。そうでなければ、干渉レベルは「低」に設定される。例えば、図９（ａ）に示されるような電力割付けパターンを受信した場合、干渉テーブルは図１３に示されるように更新されるべきである。
【００５１】
事例２：複数のマクロＢＳから２つ以上の電力割付けパターンを受信したとき、受信した電力割付けパターンのいずれかが、ＰＲＢが第１の送信電力または特定の閾値を上回る第２の送信電力で構成されていることを示す場合は、ＰＲＢの干渉レベルは「高」に設定される。そうでなければ、干渉は「低」に設定される。例えば、図９（ａ）および９（ｂ）に示されるような電力割付けパターンを受信し、図９（ｂ）のパターンにおける第２の送信電力の値が事前定義した閾値を上回る場合、干渉テーブルは図１４に示されるように更新されるべきである。
【００５２】
１００３で、ＣＰＵは、以下のような干渉分布テーブルに基づいて、ＵＥのデータ送信のスケジューリングを行う。ＵＥは、それらのＲＳＲＰに基づいて、ＲＳＲＰが閾値（例えば、事前定義の）を上回るセル中心のＵＥと、ＲＳＲＰが閾値を下回るセル端のＵＥとの２つの群に分割される。ＣＰＵは、低い干渉レベルを有するＰＲＢ全体に対してのみセル端のＵＥのスケジューリングを行う。高い干渉レベルを有するＰＲＢについては、ＣＰＵは、２つの群からのＵＥのスケジューリングを行う。スケジューリングされたＵＥそれぞれに割り当てられたＰＲＢインデックスは、１００４および１００５に示されるように、ベースバンド処理のためにベースバンド・プロセッサに渡される。１００６および１００７で示されるように、ベースバンド処理のベースバンド信号はＲＦ処理のためにＲＦモジュール４０３に送信される。
【００５３】
さらに、詳細な説明のいくつかの部分は、コンピュータ内の動作のアルゴリズムおよび記号的表現の観点で提示される。これらのアルゴリズム的記述および記号的表現は、データ処理分野の当業者が自身の技術革新の本質を他の当業者に対して最も効果的に伝えるために使用する手段である。アルゴリズムは、所望の最終状態または結果に結び付く一連の定義済みステップである。例示の実施形態では、実施されるステップは、実体的な結果を達成するために実体的な量の物理的操作を必要とする。
【００５４】
特段の指定がない限り、考察から明白であるように、本明細書全体を通して、「処理」、「演算」、「計算」、「決定」、「表示」などの用語を利用した考察は、コンピュータシステムのレジスタおよびメモリ内の物理（電子）量として表されるデータを操作・変換して、コンピュータシステムのメモリもしくはレジスタまたは他の情報記憶装置、送信デバイス、あるいは表示デバイス内の物理量として同様に表される他のデータとする、コンピュータシステムまたは他の情報処理デバイスの作用およびプロセスを含み得ることが認識される。
【００５５】
例示の実施形態はまた、本明細書の動作を行うための装置に関する。この装置は、求められる目的のために特別に構築されてもよく、または、１つもしくは複数のコンピュータプログラムによって選択的に起動または再構成される、１つもしくは複数の汎用コンピュータを含んでもよい。かかるコンピュータプログラムは、光ディスク、磁気ディスク、読出し専用メモリ、ランダムアクセスメモリ、固体デバイスおよびドライブ、または電子情報を格納するのに適した他の任意のタイプの有形媒体などであるがそれらに限定されない、コンピュータ可読記憶媒体に格納されてもよい。本明細書に提示するアルゴリズムおよび表示装置は、任意の特定のコンピュータまたは他の装置に本質的に関連しない。
【００５６】
様々な汎用システムが、本明細書の教示によるプログラムおよびモジュールとともに使用されてもよく、または、所望の方法ステップを行うようにより専門化した装置を構築するのが便利であることが分かる場合がある。それに加えて、例示の実施形態はいずれの特定のプログラミング言語にも関連して記載されない。様々なプログラミング言語が、本明細書に記載されるような本発明の教示を実現するのに使用されてもよいことが認識されるであろう。プログラミング言語（１つもしくは複数）の命令は、１つもしくは複数の処理装置、例えば中央処理装置（ＣＰＵ）、プロセッサ、またはコントローラによって実行されてもよい。
【００５７】
当該分野では既知であるように、上述した動作は、ハードウェア、ソフトウェア、またはソフトウェアとハードウェアの何らかの組み合わせによって行うことができる。本発明の実施形態の様々な態様は、回路および論理デバイス（ハードウェア）を使用して実現されてもよく、他の態様は、プロセッサによって実行した場合に例示の実施形態を実施するための方法をプロセッサに行わせる、機械可読媒体（ソフトウェア）に格納された命令を使用して実現されてもよい。さらに、いくつかの例示の実施形態はハードウェアのみで行われてもよく、他の例示の実施形態はソフトウェアのみで行われてもよい。さらに、記載した様々な機能は、単一ユニットで行うことができ、または任意の数のやり方で多数の構成要素にわたって拡張することができる。ソフトウェアによって行った場合、方法は、コンピュータ可読媒体に格納された命令に基づいて、汎用コンピュータなどのプロセッサによって実行されてもよい。所望であれば、命令は、圧縮フォーマットおよび／または暗号化フォーマットで媒体に格納することができる。
【００５８】
さらに、本明細書を考察し、本明細書に開示する例示の実施形態を実施することにより、例示の実施形態の他の実現例が当業者には明白となるであろう。記載した例示の実施形態の様々な態様および／または構成要素は、単独で、または任意の組み合わせで使用されてもよい。本明細書および実施例は例示として見なされるものとし、実施形態の真の範囲および趣旨は以下の請求項によって示されるものである。
【図１】
2014007745.tif 000005
【図２】
2014007745.tif 000006
【図３】
2014007745.tif 000007
【図４】
2014007745.tif 000008
【図５】
2014007745.tif 000009
【図６】
2014007745.tif 000010
【図７】
2014007745.tif 000011
【図８】
2014007745.tif 000012
【図９】
2014007745.tif 000013
【図１０】
2014007745.tif 000014
【図１１】
2014007745.tif 000015
【図１２】
2014007745.tif 000016
【図１３】
2014007745.tif 000017
【図１４】
2014007745.tif 000018